(57)【要約】  本発明に係る移動局ＵＥは、移動局ＵＥに対してアクセスを許可しているＣＳＧセルに対応するＣＳＧ-ＩＤを管理するように構成されているアクセス権管理部１２と、周辺セルにおける無線品質を測定するように構成されている測定部１３と、測定部１３によって無線品質が測定された周辺セルのうち、周波数ごとに、少なくともアクセス権管理部１２によって管理されているＣＳＧ-ＩＤに対応するＣＳＧセルを、利用可能なＣＳＧセルとして画面上に表示するように構成されている表示部１４とを具備する。
2009119567.tif 000002
【特許請求の範囲】
【請求項１】
特定移動局に対してのみアクセスを許可するように設定可能なアクセス限定セルを画面上に表示し、該画面上に表示された該アクセス限定セルの中からユーザによって選択されたアクセス限定セルを、待ち受けを行うセルとして選択することが可能な移動局であって、
前記移動局に対してアクセスを許可しているアクセス限定セルに対応するアクセス限定グループＩＤを管理するように構成されているアクセス権管理部と、
周辺セルにおける無線品質を測定するように構成されている測定部と、
前記測定部によって無線品質が測定された周辺セルのうち、周波数ごとに、最良な無線品質を有するセルの無線品質から所定範囲内の無線品質を有するセル、或いは、前記アクセス権管理部によって管理されている前記アクセス限定グループＩＤに対応するアクセス限定セルの少なくとも一方を、画面上に利用可能なＣＳＧセルとして表示するように構成されている表示部とを具備することを特徴とする移動局。
【請求項２】
前記表示部は、前記測定部によって無線品質が測定された周辺セルのうち、周波数ごとに、最良な無線品質を有するセルの無線品質から所定範囲内の無線品質を有し、かつ、前記アクセス権管理部によって管理されている前記アクセス限定グループＩＤに対応するアクセス限定セルを、画面上に利用可能なＣＳＧセルとして表示するように構成されていることを特徴とする請求項１に記載の移動局。
【請求項３】
前記所定範囲は、無線基地局から通知されるように構成されていることを特徴とする請求項２に記載の移動局。
【請求項４】
前記所定範囲は、規定値であるように構成されていることを特徴とする請求項２に記載の移動局。
【請求項５】
前記所定範囲は、無線基地局からの報知情報に含まれており、該報知情報から該所定範囲を取得するように構成されていることを特徴とする請求項２に記載の移動局。
【請求項６】
移動局において無線品質が測定された周辺セルのうち周波数ごとに画面上に表示すべきセルの無線品質の範囲を示す所定範囲を、該移動局に通知するように構成されていることを特徴とする無線基地局。
【請求項７】
前記所定範囲を報知情報に含めて送信するように構成されていることを特徴とする請求項６に記載の無線基地局。
【発明の詳細な説明】
【技術分野】
【０００１】
本発明は、特定移動局に対してのみアクセスを許可するように設定可能なアクセス限定セルを画面上に表示し、該画面上に表示された該アクセス限定セルの中からユーザによって選択されたアクセス限定セルを、待ち受けを行うセルとして選択することが可能な移動局に関する。
【背景技術】
【０００２】
家庭やオフィス等において、特定移動局（特定のユーザグループ、ＣＳＧ：Ｃｌｏｓｅｄ  Ｓｕｂｓｃｒｉｂｅｒ  Ｇｒｏｕｐ）に対してのみアクセスを許可するように設定可能なＣＳＧセル（アクセス限定セル）を設置可能な移動通信システムが知られている。【０００３】
また、３ＧＰＰでは、要求条件として、移動局ＵＥにおいて「Ｍａｎｕａｌ  ＣＳＧ  Ｓｅｌｅｃｔｉｏｎ」をサポートすることが合意されている。【０００４】
かかる「Ｍａｎｕａｌ  ＣＳＧ  Ｓｅｌｅｃｔｉｏｎ」では、ユーザが、移動局ＵＥに対して所定操作を行うと、移動局ＵＥは、周辺の利用可能なＣＳＧセル（ａｖａｉｌａｂｌｅ  ＣＳＧ  ｃｅｌｌｓ）のリスト（ＣＳＧ-ＩＤのリスト）を画面上に表示し、かかる画面上に表示されたＣＳＧセルの中からユーザによって選択されたＣＳＧセルを、待ち受けを行うセルとして選択することとなっている。【０００５】
しかしながら、上述の「Ｍａｎｕａｌ  ＣＳＧ  Ｓｅｌｅｃｔｉｏｎ」では、周辺の利用可能なＣＳＧセルの定義が不明確であり、移動局ＵＥが、検知可能な全てのＣＳＧセルのリスト（ＣＳＧ-ＩＤのリスト）を画面上に表示してユーザに選択させると、無線品質の観点から問題が生じる場合がある。【０００６】
例えば、ユーザによって選択されたＣＳＧセルの無線品質が、同一の周波数において最良でない場合、他のセルに対する干渉及び他のセルからの干渉が発生する可能性があるという問題点があった。
【発明の開示】
【０００７】
そこで、本発明は、上述の課題に鑑みてなされたものであり、他のセルに対する干渉及び他のセルからの干渉を発生させることなく、上述の「Ｍａｎｕａｌ  ＣＳＧ  Ｓｅｌｅｃｔｉｏｎ」を実現することができる移動局を提供することを目的とする。
【０００８】
本発明の第１の特徴は、特定移動局に対してのみアクセスを許可するように設定可能なアクセス限定セルを画面上に表示し、該画面上に表示された該アクセス限定セルの中からユーザによって選択されたアクセス限定セルを、待ち受けを行うセルとして選択することが可能な移動局であって、前記移動局に対してアクセスを許可しているアクセス限定セルに対応するアクセス限定グループＩＤを管理するように構成されているアクセス権管理部と、周辺セルにおける無線品質を測定するように構成されている測定部と、前記測定部によって無線品質が測定された周辺セルのうち、周波数ごとに、少なくとも前記アクセス権管理部によって管理されている前記アクセス限定グループＩＤに対応するアクセス限定セルを、画面上に利用可能なＣＳＧセルとして表示するように構成されている表示部とを具備することを要旨とする。
【０００９】
本発明の第１の特徴において、前記表示部は、前記測定部によって無線品質が測定された周辺セルのうち、周波数ごとに、最良な無線品質を有するセルの無線品質から所定範囲内の無線品質を有し、かつ、前記アクセス権管理部によって管理されている前記アクセス限定グループＩＤに対応するアクセス限定セルのみを、画面上に利用可能なＣＳＧセルとして表示するように構成されていてもよい。
【００１０】
本発明の第１の特徴において、前記所定範囲は、無線基地局から通知されるように構成されていてもよい。
【００１１】
本発明の第１の特徴において、前記所定範囲は、規定値であるように構成されていてもよい。
【００１２】
本発明の第１の特徴において、前記所定範囲は、無線基地局からの報知情報に含まれており、該報知情報から該所定範囲を取得するように構成されていてもよい。
【００１３】
本発明の第２の特徴は、無線基地局であって、移動局において無線品質が測定された周辺セルのうち周波数ごとに画面上に表示すべきセルの無線品質の範囲を示す所定範囲を、該移動局に通知するように構成されていることを要旨とする。
【００１４】
本発明の第２の特徴において、前記所定範囲を報知情報に含めて送信するように構成されていてもよい。
【図面の簡単な説明】
【００１５】
【図１】図１は、本発明の第１の実施形態に係る移動通信システムの全体構成図である。
【図２】図２は、本発明の第１の実施形態に係る移動局の機能ブロック図である。
【図３】図３は、本発明の第１の実施形態に係る移動局よって測定された周辺セルにおける無線品質の一例を示す図である。
【図４】図４は、本発明の第１の実施形態に係る移動局の画面上に表示される「ａｖａｉｌａｂｌｅ  ＣＳＧｃｅｌｌｓ」の一例を示す図である。
【図５】図５は、本発明の第１の実施形態に係る移動局の動作を示すフローチャートである。
【発明を実施するための最良の形態】
【００１６】
（本発明の第１の実施形態に係る移動通信システムの構成）
図１乃至図４を参照して、本発明の第１の実施形態に係る移動通信システムの構成について説明する。なお、本実施形態では、ＬＴＥ（Ｌｏｎｇ  Ｔｅｒｍ  Ｅｖｏｌｕｔｉｏｎ）方式が適用されている移動通信システムの例について説明するが、本発明は、かかる移動通信システムの例に限定されない。【００１７】
図１に示すように、本実施形態に係る移動通信システムは、交換機ＭＭＥ等の上位ノードと、マクロ無線基地局Ｍａｃｒｏ-ｅＮＢ＃１と、複数のホーム無線基地局Ｈｏｍｅ-ｅＮＢ＃１乃至＃４とを具備している。【００１８】
マクロセル＃１は、マクロ無線基地局Ｍａｃｒｏ-ｅＮＢ＃１によって管理されており、ＣＳＧセル＃１は、ホーム無線基地局Ｈｏｍｅ-ｅＮＢ＃１によって管理されており、ＣＳＧセル＃２は、ホーム無線基地局Ｈｏｍｅ-ｅＮＢ＃２によって管理されており、ＣＳＧセル＃３は、ホーム無線基地局Ｈｏｍｅ-ｅＮＢ＃３によって管理されており、ＣＳＧセル＃４は、ホーム無線基地局Ｈｏｍｅ-ｅＮＢ＃４によって管理されている。【００１９】
ここで、ＣＳＧセル＃１乃至＃４は、特定移動局に対してのみアクセスを許可するように設定可能なアクセス限定セルである。【００２０】
また、複数のホーム無線基地局Ｈｏｍｅ-ｅＮＢ＃１乃至＃４は、それぞれ、ＣＳＧセル＃１乃至＃４において、ＣＳＧ-ＩＤ（ＴＡ-ＩＤ：Ｔｒａｃｋｉｎｇ  Ａｒｅａ-ＩＤと呼ばれてもよい）を報知するように構成されている。ここで、複数のＣＳＧセルにおいて、同一のＣＳＧ-ＩＤが報知されるように構成されていてもよい。【００２１】
また、複数のホーム無線基地局Ｈｏｍｅ-ｅＮＢ＃１乃至＃４は、移動局ＵＥにおいて無線品質が測定された周辺セルのうち周波数ごとに画面上に表示すべきセルの無線品質の範囲を示す所定範囲を、移動局ＵＥに通知するように構成されている。【００２２】
ここで、複数のホーム無線基地局Ｈｏｍｅ-ｅＮＢ＃１乃至＃４は、所定範囲を報知情報に含めて送信するように構成されていてもよい。【００２３】
さらに、移動局ＵＥは、１つ又は複数のＴＡに対して位置登録処理を行うことができる。具体的には、移動局ＵＥは、ＴＡ-ＩＤ（ＣＳＧ-ＩＤを含む）を指定するＴＡＵ（Ｔｒａｃｋｉｎｇ  Ａｒｅａ  Ｕｐｄａｔｅ）を、交換機ＭＭＥに送信することによって、１つ又は複数のＴＡに対して位置登録処理を行うように構成されている。【００２４】
なお、移動局ＵＥは、マクロセル、及び、当該移動局ＵＥに対してアクセスを許可しているＣＳＧセルにおいて、待ち受けを行うことができる。【００２５】
図２に示すように、移動局ＵＥは、ＣＳＧ  Ｗｈｉｔｅ  Ｌｉｓｔ管理部１２と、測定部１３と、表示部１４と、セル再選択部１５とを具備している。【００２６】
ＣＳＧ  Ｗｈｉｔｅ  Ｌｉｓｔ管理部１２は、移動局ＵＥに対してアクセスを許可しているＣＳＧセル（アクセス限定セル）に対応するＣＳＧ-ＩＤ（アクセス限定グループＩＤ）を管理するように構成されている。【００２７】
例えば、ＣＳＧ  Ｗｈｉｔｅ  Ｌｉｓｔ管理部１２は、ＵＳＩＭ（Ｕｓｅｒ  Ｓｕｂｓｃｒｉｂｅｒ  Ｉｄｅｎｔｉｔｙ  Ｍｏｄｕｌｅ）内に設けられていてもよい。【００２８】
具体的には、ＣＳＧ  Ｗｈｉｔｅ  Ｌｉｓｔ管理部１２は、移動局ＵＥに対してアクセスを許可しているＣＳＧセルに対応するＣＳＧ-ＩＤのリストを、「ＣＳＧ  Ｗｈｉｔｅ  Ｌｉｓｔ」として保存及び管理するように構成されている。【００２９】
測定部１３は、周辺セルにおける無線品質を測定するように構成されている。ここで、周辺セルは、現在待ち受け中のセルを含んでよいし、異周波数や異システムのセルを含んでよいし、測定部１３によってサーチ又は検出されたセルを含んでよい。【００３０】
表示部１４は、測定部１３によって無線品質（例えば、ＲＳＲＰ：Ｒｅｆｅｒｅｎｃｅ  Ｓｉｇｎａｌ  Ｒｅｃｅｉｖｅｄ  Ｐｏｗｅｒ）が測定された周辺セルのうち、周波数ごとに、最良な無線品質を有するセルの無線品質から所定範囲内の無線品質を有するセル、或いは、ＣＳＧ  Ｗｈｉｔｅ  Ｌｉｓｔ管理部１２によって管理されているＣＳＧ-ＩＤに対応するＣＳＧセル（当該移動局ＵＥに対してアクセスを許可していると想定されるＣＳＧセル）の少なくとも一方を、画面上にユーザが選択可能なＣＳＧセルとして表示するように構成されている。【００３１】
例えば、表示部１４は、測定部１３によって無線品質（例えば、ＲＳＲＰ：Ｒｅｆｅｒｅｎｃｅ  Ｓｉｇｎａｌ  Ｒｅｃｅｉｖｅｄ  Ｐｏｗｅｒ）が測定された周辺セルのうち、周波数ごとに、最良な無線品質を有するセルの無線品質から所定範囲内の無線品質を有し、かつ、ＣＳＧ  Ｗｈｉｔｅ  Ｌｉｓｔ管理部１２によって管理されているＣＳＧ-ＩＤに対応するＣＳＧセル（当該移動局ＵＥに対してアクセスを許可していると想定されるＣＳＧセル）を、画面上にユーザが選択可能なＣＳＧセルとして表示するように構成されていてもよい。【００３２】
図３に示す例では、測定部１３によって測定されたＣＳＧセル＃１乃至５のうち最良な無線品質を有するセルは、ＣＳＧセル＃１である。【００３３】
また、図３に示す例では、ＣＳＧセル＃１の無線品質（最良な無線品質）から所定範囲内（ＸｄＢ以内）の無線品質を有するＣＳＧセルは、ＣＳＧセル＃３、＃５である。【００３４】
さらに、図３に示す例では、ＣＳＧ  Ｗｈｉｔｅ  Ｌｉｓｔ管理部１２によって管理されているＣＳＧ-ＩＤに対応するＣＳＧセル（当該移動局ＵＥに対してアクセスを許可していると想定されるＣＳＧセル）は、ＣＳＧセル＃４、＃５である。【００３５】
したがって、図３に示す例では、表示部１４は、ＣＳＧセル＃５のみを、ユーザが選択可能なＣＳＧセルとして画面上に表示するように構成されている。この際の表示部１４における画面上の表示の一例を図４に示す。【００３６】
また、所定範囲が「０ｄＢ」である場合、図３に示す例では、ＣＳＧセル＃１の無線品質（最良な無線品質）から所定範囲内の無線品質を有するＣＳＧセルは、最良な無線品質を有するＣＳＧセル＃１である。【００３７】
なお、表示部１４は、測定部１３によって無線品質（例えば、ＲＳＲＰ：Ｒｅｆｅｒｅｎｃｅ  Ｓｉｇｎａｌ  Ｒｅｃｅｉｖｅｄ  Ｐｏｗｅｒ）が測定された周辺セルのうち、周波数ごとに、ＣＳＧ  Ｗｈｉｔｅ  Ｌｉｓｔ管理部１２によって管理されているＣＳＧ-ＩＤに対応するＣＳＧセル（当該移動局ＵＥに対してアクセスを許可していると想定されるＣＳＧセル）以外のセルを、画面上にユーザが選択可能なＣＳＧセルとして表示するように構成されていてもよい。【００３８】
また、ＣＳＧ  Ｗｈｉｔｅ  Ｌｉｓｔ管理部１２は、測定部１３によって無線品質（例えば、ＲＳＲＰ：Ｒｅｆｅｒｅｎｃｅ  Ｓｉｇｎａｌ  Ｒｅｃｅｉｖｅｄ  Ｐｏｗｅｒ）が測定された周辺セルに応じて、移動局ＵＥに対してアクセスを許可しているＣＳＧセル（アクセス限定セル）に対応するＣＳＧ-ＩＤ（アクセス限定グループＩＤ）を更新するように構成されていてもよい。【００３９】
なお、上述の所定範囲は、ホーム無線基地局Ｈｏｍｅ-ｅＮＢから通知されるように構成されていてもよいし、移動局UEにおける規定値であってもよい。【００４０】
また、上述の所定範囲は、無線基地局Ｈｏｍｅ-ｅＮＢからの報知情報に含まれており、移動局ＵＥは、かかる報知情報から所定範囲を取得するように構成されていてもよい。【００４１】
セル再選択部１５は、画面上に表示されたＣＳＧセルの中からユーザによって選択されたＣＳＧを、待ち受けを行うセルとして選択するように構成されている。【００４２】
なお、測定部１３によって無線品質が測定されたセルのうち、最良な無線品質を有するセルが、ＣＳＧ設定（アクセス権限定）のないセルである場合もある。【００４３】
この場合も、周波数ごとに、最良な無線品質を有するセルから所定範囲内の無線品質を有する周辺セルのうち、ＣＳＧ  Ｗｈｉｔｅ  Ｌｉｓｔ管理部１２によって管理されているＣＳＧ-ＩＤに対応するＣＳＧセルのみを、ユーザが選択可能なＣＳＧセルとして画面上に表示する。【００４４】
なお、表示部１４は、かかる最良な無線品質を有するセルから所定範囲内の無線品質を有する周辺セルのうち、ＣＳＧ設定（アクセス権限定）のないセルが存在した場合、かかるセルのネットワーク名（オペレータ名）を、ユーザが選択可能なネットワークとして画面上に表示してもよい。【００４５】
また、この際に、表示部１４は、ユーザが契約しているオペレータ及びローミング契約しているオペレータのネットワーク名のみを表示してもよい。【００４６】
（本発明の第１の実施形態に係る移動通信システムの動作）
図５を参照して、本発明の第１の実施形態に係る移動局ＵＥの動作について説明する。【００４７】
図５に示すように、ステップＳ１０１において、ユーザは、移動局ＵＥにおいて「Ｍａｎｕａｌ  ＣＳＧ  Ｓｅｌｅｃｔｉｏｎ」開始操作を行う。【００４８】
ステップＳ１０２において、移動局ＵＥは、周辺セルにおける無線品質（ＲＳＲＰ）を測定し、測定結果に基づいて、かかる周辺セルに対するランク付けを行う。【００４９】
ステップＳ１０３において、移動局ＵＥは、最高の無線品質（ＲＳＲＰ）を有するセルの無線品質（ＲＳＲＰ）から所定範囲内（ＸｄＢ以内）の無線品質（ＲＳＲＰ）を有するＣＳＧセルを、利用可能なＣＳＧセルとして画面上に表示する。【００５０】
ステップＳ１０４において、ユーザが、画面上に表示されたＣＳＧセルの中から、１つのＣＳＧセルを選択すると、ステップＳ１０５において、移動局ＵＥは、選択されたＣＳＧにおける待ち受けを開始する。【００５１】
（本発明の第１の実施形態に係る移動通信システムの作用・効果）
本発明の第１の実施形態に係る移動通信システムによれば、移動局ＵＥが、最高の無線品質（ＲＳＲＰ）から所定範囲内（ＸｄＢ以内）の無線品質（ＲＳＲＰ）を有するＣＳＧセルを、利用可能なＣＳＧセルとして画面上に表示して、ユーザに選択させるように構成されているため、他のセルに対する干渉及び他のセルからの干渉を低減しつつ、「Ｍａｎｕａｌ  ＣＳＧ  Ｓｅｌｅｃｔｉｏｎ」を実現することができる。【００５２】
（変更例）
なお、上述の移動局ＵＥやマクロ無線基地局Ｍａｃｒｏ-ｅＮＢやホーム無線基地局Ｈｏｍｅ-ｅＮＢの動作は、ハードウェアによって実施されてもよいし、プロセッサによって実行されるソフトウェアモジュールによって実施されてもよいし、両者の組み合わせによって実施されてもよい。【００５３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【００５４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥやマクロ無線基地局Ｍａｃｒｏ-ｅＮＢやホーム無線基地局Ｈｏｍｅ-ｅＮＢ内に設けられていてもよい。また、かかる記憶媒体及びプロセッサは、ディスクリートコンポーネントとして移動局ＵＥやマクロ無線基地局Ｍａｃｒｏ-ｅＮＢやホーム無線基地局Ｈｏｍｅ-ｅＮＢ内に設けられていてもよい。【００５５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用の可能性】
【００５６】
以上説明したように、本発明によれば、他のセルに対する干渉及び他のセルからの干渉を発生させることなく、上述の「Ｍａｎｕａｌ  ＣＳＧ  Ｓｅｌｅｃｔｉｏｎ」を実現することができる移動局を提供することができる。
【図１】
2009119567.tif 000003
【図２】
2009119567.tif 000004
【図３】
2009119567.tif 000005
【図４】
2009119567.tif 000006
【図５】
2009119567.tif 000007
【国際調査報告】
2009119567.tif 000008
2009119567.tif 000009
2009119567.tif 000010
2009119567.tif 000011